(57)【要約】      （修正有）【課題】使用者が本考案の足踏み健康器に乗り、足踏み動作を行う時、ペダルは上下に移動すると同時に斜め下方向にスウィングし、足踏み動作に斜めスウィングを加えた立体的動作形式を具備させることが可能である足踏み健康器を提供する。【解決手段】主に底座10と２つのペダル20R,20Lと抵抗装置30とからなり、ペダル前端の組み付け部21はそれぞれ底座10前端の支架11上に枢軸設置されることにより、ペダル20R,20Lの可動端22は垂直方向のスウィング動作を行うことが可能である。更に、使用者がペダル20R,20Lに乗り、足踏み動作を行うとき、抵抗装置30により抵抗力を発生させることにより、適度な足踏み運動を行うことが可能である。支架11の底端は底座10上に枢軸設置されることにより、回転することが可能である。【選択図】図１
0003107561.tif 000002
【実用新案登録請求の範囲】
【請求項１】
底座(10)と、２つのペダル(20R,20L)と、抵抗装置(30)とを有し、
上記ペダル(20R,20L)の可動端(22)が垂直方向のスウィング動作を行うことが可能であり、更に、使用者が上記ペダル(20R,20L)に乗り、足踏み動作を行うとき、上記抵抗装置(30)により抵抗力を発生させることにより、適度な足踏み運動を行うことが可能であるように、上記ペダル(20R,20L)の前端の組み付け部(21)はそれぞれ上記底座(10)前端の支架(11)上に枢軸設置してあり、
回転することが可能であるように、上記支架(11)の底端が上記底座(10)上に枢軸設置してあり、
且つ、上記底座(10)上に三角架(40)が設置され、上記三角架(40)の２つの斜面(41)に上記ペダル(20R,20L)が相対接触可動できるように上記ペダル(20R,20L)底部に触滑部(23)が設置してある構成であり、
使用者が乗って、足踏み動作を行うとき、上記ペダル(20R,20L)は上下に移動すると同時に斜め下方向にスウィングし、足踏み動作に斜めスウィングを加えた立体的動作が可能であることを特徴とする足踏み健康器。
【請求項２】
上記２つのペダル(20R,20L)底部に設置された触滑部(23)は、下向きに突出するプレート形状のものであることを特徴とする請求項１記載の足踏み健康器。
【請求項３】
上記ペダル(20R,20L)底部に設置される触滑部(23B)は、弧形状板であることを特徴とする請求項１記載の足踏み健康器。
【請求項４】
上記抵抗装置(30)は、１つのＣ型プレート(31)と１つの回転つまみ(32)とからなり、
上記底座(10)の上記支架(11)底端に１つの座盤部(12)を有し、上記Ｃ型プレート(31)は上記座盤部(12)の外周に設置され、上記回転つまみ(32)は上記底座(10)前部に設置され、上記回転つまみ(32)のネジロッド(33)は上記Ｃ型プレート(31)の調整部(34)のネジ穴(35)と相対し、上記回転つまみ(32)を回転させることにより、上記Ｃ型プレート(31)の束緊度が調整されて、上記ペダル(20R,20L)の抵抗力が調整される構成としたことを特徴とする請求項１記載の足踏み健康器。
【考案の詳細な説明】
【技術分野】
【０００１】
本考案は足踏み健康器に係り、特に、一種の使用者が本考案の足踏み健康器に乗り、足踏み動作を行う時、ペダルが上下に移動する同時に斜め下方向にスウィングし、足踏み動作に斜めスウィングを加えた立体的動作形式を具備することができる構造を具備する足踏み健康器に関する。
【背景技術】
【０００２】
足踏み健康器は一種の、使用者が足踏み動作に似た動作を行うことができるよう、使用者を補助し、健康トレーニングの目的を達成することができるように設計された運動器材で、従来の足踏み健康器は多少の構造の違いはあるものの基本的にはすべて踏み板が上下方向にのみ往復動作できるのみのものが多く、創意工夫のある器材を開発するまでにはいたらず、単調な動作に使用者は厭きを感じやすく、継続的使用を基本条件とする健康足踏み器の実用的価値に影響を及ぼしやすい為、如何に一種の空間形態及び作動方式を一歩前進させた創意工夫のある足踏み健康器の構造を開発するかが、関係業界では開発目標となっている。
【考案の開示】
【考案が解決しようとする課題】
【０００３】
解決しようとする問題点は、従来の足踏み健康器の構造の違いはあるものの基本的にはすべて踏み板が上下方向にのみ往復動作できるのみのものが多く、単調な動作に使用者は厭きを感じやすく、継続的使用を基本条件とする健康足踏み器の実用的価値に影響を及ぼしやすい等の欠点を解決することにある。
【課題を解決するための手段】
【０００４】
即ち、本考案の足踏み健康器は、主に底座(10)と２つのペダル(20R,20L)と抵抗装置(30)とからなり、上記ペダル(20R,20L)前端の組み付け部(21)はそれぞれ上記底座(10)前端の支架(11)上に枢軸設置されることにより、上記ペダル(20R,20L)の可動端(22)は垂直方向のスウィング動作を行うことが可能であり、更に、使用者が上記ペダル(20R,20L)に乗り、足踏み動作を行う時、抵抗装置(30)により抵抗力を発生させることにより、適度な足踏み運動を行うことが可能であり、主な特徴は、上記支架(11)底端は上記底座(10)上に枢軸設置されることにより、回転することができ、且つ、上記底座(10)上に三角架(40)が設置され、上記三角架(40)の２つの斜面(41)に上記ペダル(20R,20L)が相対接触可動できるように上記ペダル(20R,20L)底部に触滑部(23)が設置される。
【０００５】
上記２つのペダル(20R,20L)底部に設置される触滑部(23)は下向きに突出するプレート形状のものでもよい。
【０００６】
又、上記抵抗装置(30)は１つのＣ型プレート(31)と１つの回転つまみ(32)とからなり、上記底座(10)の上記支架(11)底端に１つの座盤部(12)を形成し、上記Ｃ型プレート(31)は上記座盤部(12)の外周に設置され、上記回転つまみ(32)は上記底座(10)前部に設置され、上記回転つまみ(32)のネジロッド(33)は上記Ｃ型プレート(31)の調整部(34)のネジ穴(35)と相対し、上記回転つまみ(32)を回転させることにより、上記Ｃ型プレート(31)の束緊度を調整することが可能であり、上記により、上記ペダル(20R,20L)の抵抗力を調整することが可能である。
【考案の効果】
【０００７】
上記構造により、主に上記支架(11)底端が上記底座(10)上に枢軸設置されることにより、回転することができ、且つ、上記底座(10)上に三角架(40)が設置され、上記三角架(40)の２つの斜面(41)に上記ペダル(20R,20L)が相対接触可動できるように上記ペダル(20R,20L)底部に触滑部(23)が設置される構造により、使用者が本考案の足踏み健康器に乗り、足踏み動作を行う時、上記ペダル(20R,20L)は上下に移動すると同時に斜め下方向にスウィングし、足踏み動作に斜めスウィングを加えた立体的動作が可能となる。
【考案を実施するための最良の形態】
【０００８】
次に本考案の実施の形態について説明する。
【実施例１】
【０００９】
本考案の構造の特徴及びその効果を以下に実施例とそれに合わせた図式及び詳細な説明を列挙し、本考案の長所を詳述する。
【００１０】
図１，２，３，４、５は本考案の足踏み健康器の立体スウィング構造を示す実施例で、主に底座(10)と、２つのペダル(20R,20L)と、抵抗装置(30)とからなる。ペダル(20R,20L)の前端の組み付け部(21)はそれぞれ上記底座(10)前端の支架(11)上に図４中Ａ，Ｂ方向に回動可能に枢軸設置してある。これにより、ペダル(20R,20L)の可動端(22)は垂直方向のスウィング動作を行うことができ、更に、使用者が上記ペダル(20R,20L)に乗り、足踏み動作を行う時、抵抗装置(30)により抵抗力を発生させることにより、適度な足踏み運動を行うことができる。
【００１１】
次に本考案の足踏み健康器の主な特徴について説明する。
【００１２】
支架(11)の底端は上記底座(10)上に枢軸設置してあり、支架(11)は回転することが可能である。
【００１３】
底座(10)上に三角架(40)が設置してある。この三角架(40)の２つの斜面(41)に上記ペダル(20R,20L)が相対接触可動できるように、上記ペダル(20R,20L)底部に触滑部(23)が設置してある。
【００１４】
この構造により、使用者が足踏み健康器に乗り、足踏み動作を行うとき、ペダル(20R,20L)は上下に移動すると同時に斜め下方向にスウィングし、足踏み動作に斜めスウィングを加えた立体的動作形式が具備される。
【００１５】
上記２つのペダル(20R,20L)底部に設置された触滑部(23)は、下向きに突出するプレート形状のものでもよい。
【００１６】
上記触滑部(23)の底部は、円滑面を形成する形状のものがよい。
【００１７】
図１０に示す如く、ペダル(20R,20L)底部に設置される触滑部(23B)は弧形状板でもよい。
【００１８】
また、抵抗装置(30)は、１つのＣ型プレート(31)と、１つの回転つまみ(32)とからなる。底座(10)の上記支架(11)底端に１つの座盤部(12)が形成してある。Ｃ型プレート(31)は座盤部(12)の外周に設置され、回転つまみ(32)は底座(10)の前部に設置され、上記回転つまみ(32)のネジロッド(33)は上記Ｃ型プレート(31)の調整部(34)のネジ穴(35)と相対し、上記回転つまみ(32)を回転させることにより、上記Ｃ型プレート(31)の束緊度が調整され、これによってペダル(20R,20L)の抵抗力が調整される。
【００１９】
図６及び図７は上記の足踏み健康器の第１の作動状態を示し、図８及び図９は足踏み健康器の第２の作動状態を示す。従来の足踏み健康器と違う所は上記支架(11)底端は上記底座(10)上に枢軸設置されることにより、回転することができ、且つ、上記底座(10)上に三角架(40)が設置され、上記三角架(40)の２つの斜面(41)に上記ペダル(20R,20L)が相対接触可動できるように上記ペダル(20R,20L)底部に触滑部(23)が設置されている構造により、使用者が足踏み健康器に乗り、ペダル(20Ｌ)を踏む動作を行うと、図６及び図７に示すように、触滑部(23)が三角架(40)の斜面(41)を滑り、ペダル(20Ｌ)は下方に移動すると同時に矢印Ｂで示すように斜め下方向にスウィングし、ペダル(20Ｒ)は上方に移動すると同時に矢印Ｂで示すように斜め上方向にスウィングする。ペダル(20R)を踏む動作を行うと、図８及び図９に示すように、触滑部(23)が三角架(40)の斜面(41)を滑り、ペダル(20R)は下方に移動すると同時に矢印Ａで示すように斜め下方向にスウィングし、ペダル(20Ｌ)は上方に移動すると同時に矢印Ａで示すように斜め上方向にスウィングする。
【００２０】
上記実施例の足踏み健康器は、以下の効果を有する。
１．一種の足踏み健康器の構造の改良で、主に上記支架(11)底端は上記底座(10)上に枢軸設置されることにより、回転することができ、且つ、上記底座(10)上に三角架(40)が設置され、上記三角架(40)の２つの斜面(41)に上記ペダル(20R,20L)が相対接触可動できるように上記ペダル(20R,20L)底部に触滑部(23)が設置される構造の足踏み健康器を提供することができる。
２．上記構造により、使用者が本考案の足踏み健康器に乗り、足踏み動作を行う時、上記ペダル(20R,20L)は上下に移動すると同時に斜め下方向にスウィングし、足踏み動作に斜めスウィングを加えた立体的動作形式を具備させることができる。
【図面の簡単な説明】
【００２１】
【図１】本考案の組み合わせ立体図である。
【図２】本考案の分解立体図である。
【図３】本考案の抵抗装置を拡大して示す図である。
【図４】本考案の足踏み健康器の平面図である。
【図５】本考案の足踏み健康器の側面図である。
【図６】本考案の足踏み健康器の第一作動状態を示す平面図である。
【図７】本考案の足踏み健康器の第一作動状態を示す側面図である。
【図８】本考案の足踏み健康器の第二作動状態を示す平面図である。
【図９】本考案の足踏み健康器の第二作動状態を示す側面図である。
【図１０】本考案のペダルの底部に設置された触滑部のもう１つの実施例を示す構造図である。
【符号の説明】
【００２２】
１０  底座
１１  支架
１２  座盤部
20R,20L  ペダル
２１  組み付け部
２２  可動端
２３，２３Ｂ  触滑部
３０  抵抗装置
３１  Ｃ型プレート
３２  回転つまみ
３３  ネジロッド
３４  調整部
３５  ネジ穴
４０  三角架
４１  斜面
【図１】
0003107561.tif 000003
【図２】
0003107561.tif 000004
【図３】
0003107561.tif 000005
【図４】
0003107561.tif 000006
【図５】
0003107561.tif 000007
【図６】
0003107561.tif 000008
【図７】
0003107561.tif 000009
【図８】
0003107561.tif 000010
【図９】
0003107561.tif 000011
【図１０】
0003107561.tif 000012